(57)【要約】【課題】加熱回転部材の端部昇温を防止し、エネルギー消費を低減することができる定着装置を提供する。【解決手段】加圧ローラ５０５との間で定着ニップ部を構成し、複数の用紙幅に対応する面状に構成された複数の発熱体（面状ヒータ６０２）を有する発熱体ローラ６００を備える。また、発熱体ローラ６００の位置を制御する制御手段（発熱体ローラ位置制御部５１３）を備える。制御手段は、定着ニップ部を通過する用紙幅に対応して所定の発熱体が所定の位置に移動するよう発熱体ローラ６００の位置を制御する。【選択図】図５
2009192607.tif 000002
【特許請求の範囲】
【請求項１】
加圧ローラと、
前記加圧ローラとの間で定着ニップ部を形成し、複数の用紙幅に対応する複数の発熱体を有する発熱体ローラと、
前記発熱体ローラの位置を制御する制御手段とを備え、
前記制御手段は、前記複数の発熱体のうち前記定着ニップ部を通過する用紙の幅方向の長さに対応する発熱体が前記定着ニップ部に位置するように、前記発熱体ローラの位置を制御することを特徴とする定着装置。
【請求項２】
前記複数の発熱体に供給する電力がそれぞれ異なることを特徴とする請求項１記載の定着装置。
【請求項３】
前記複数の発熱体に対して個別に電力を供給することを特徴とする請求項１または請求項２記載の定着装置。
【請求項４】
前記複数の発熱体は、用紙の通紙方向に並べて配置されることを特徴とする請求項１記載の定着装置。
【請求項５】
請求項１記載の定着装置を搭載する画像形成装置。
【発明の詳細な説明】
【技術分野】
【０００１】
本発明は、電子写真方式を利用して転写材（用紙）に画像形成を行う複写機、プリンタ等に用いられる定着装置及びその定着装置を搭載する複写機、プリンタ等の画像形成装置に関する。特に、用紙に形成担持された未定着トナーを加熱定着する熱定着方式の定着装置及び画像形成装置に関する。
【背景技術】
【０００２】
従来、電子写真方式の画像形成装置の定着装置は、定着性の点から、トナー像を加熱して定着させる方式（熱定着方式）が一般的であり、中でも加熱源を内包する回転体（加熱回転部材）に直接トナー像を接触させて定着させる方式が広く用いられている。
【０００３】
この定着装置は、具体的には、加熱回転部材と加圧回転部材の当接部で構成される定着ニップ部に用紙を通紙して、未定着トナー像を用紙に定着するものである。
【０００４】
近年、例えば、Ａ３サイズ等の比較的大サイズの用紙から、Ａ４Ｒ、Ｂ５サイズの様な通常良く使用される小サイズの用紙まで、様々な用紙サイズに対応する画像形成装置が求められている。このため、加熱回転部材と加圧回転部材の軸方向の長さを、例えば、Ａ３サイズ等の比較的大サイズに対応するように構成する必要性がある。
【０００５】
しかし、上記の様な構成を採った際に、Ａ４Ｒ、Ｂ５等の小サイズの用紙が、定着装置を通過する場合、図１４に示す様に、加熱回転部材（ａ）の有効定着領域（ｂ−１）において用紙が通過しない非通紙領域（ｂ−２）が多くなる。
【０００６】
そして、小サイズの用紙を連続複写した際には、非通紙領域（ｂ−２）に対応する加熱回転部材（ａ）表面から、用紙によって熱が奪われないため、非通紙領域（ｂ−２）の表面温度が高くなり過ぎて、ホットオフセットが発生する。
【０００７】
上述した、小サイズ紙通紙時の非通紙領域（ｂ−２）の表面温度の上昇を防ぐために、非通紙領域を冷却風によって冷却する技術が提案されている（例えば、特許文献１及び２参照）。
【０００８】
また、定着ローラ（加熱回転部材）の長手方向に対して、用紙サイズそれぞれの通紙幅に応じて異なる加熱長さを有する複数のヒータを備える定着装置が提案されている（例えば、特許文献３参照）。
【特許文献１】特開昭６０−１３６７７９号公報
【特許文献２】特開平５−１８１３８２号公報
【特許文献３】特許第３４４５７０２号公報
【発明の開示】
【発明が解決しようとする課題】
【０００９】
特許文献１及び２に記載の技術では、電力を消費して定着ローラの熱として変換したエネルギーを、冷却ファンによって冷却しているため、非通紙部の昇温は防止できるものの、無駄にエネルギーを消費している。定着装置の使用しない領域を暖めるためにエネルギーを消費し、さらにそれを冷却するためのファンを駆動するエネルギーを消費しているため、二重に無駄があるといえる。
【００１０】
また、特許文献３に記載の技術では、用紙サイズごとのヒータを複数備える必要があり、定着ローラ内部の加熱装置が大型化してしまう。さらに、用紙のトナー像を適切に加熱定着させるためには、定着ローラと加圧ローラ（加圧回転部材）とが圧接する定着ニップ部近傍を加熱することが望ましい。
【００１１】
しかしながら、備えたヒータの数が増えるほど、定着ニップ部とヒータとの距離が遠くなってしまうため、定着ニップ部近傍を適切に加熱できない懸念がある。これら課題は、ヒータにセラミックヒータ等を使用した場合、それぞれのヒータが大きく場所を取るため、さらに顕著な問題となる。
【００１２】
本発明の目的は、加熱回転部材の端部昇温を防止し、エネルギー消費を低減することができる定着装置及び画像形成装置を提供することにある。
【課題を解決するための手段】
【００１３】
上記目的を達成するために、請求項１記載の定着装置は、加圧ローラと、前記加圧ローラとの間で定着ニップ部を形成し、複数の用紙幅に対応する複数の発熱体を有する発熱体ローラと、前記発熱体ローラの位置を制御する制御手段とを備え、前記制御手段は、前記複数の発熱体のうち前記定着ニップ部を通過する用紙の幅方向の長さに対応する発熱体が前記定着ニップ部に位置するように、前記発熱体ローラの位置を制御することを特徴とする。
【００１４】
請求項５記載の画像形成装置は、請求項１記載の定着装置を搭載する。
【発明の効果】
【００１５】
本発明の定着装置及び画像形成装置によれば、加熱回転部材の端部昇温を防止し、エネルギー消費を低減することができる。
【発明を実施するための最良の形態】
【００１６】
以下、本発明の実施の形態を図面を参照しながら詳細に説明する。
【００１７】
図１は、本発明の実施の形態に係る画像形成装置（フルカラープリンタ）の構成図である。
【００１８】
図１において、本画像形成装置は、４つの画像形成部（画像形成ユニット）を備えている。即ち、イエロー色の画像を形成する画像形成部１Ｙと、マゼンタ色の画像を形成する画像形成部１Ｍと、シアン色の画像を形成する画像形成部１Ｃと、ブラック色の画像を形成する画像形成部１Ｂｋである。これら４つの画像形成部１Ｙ、１Ｍ、１Ｃ、１Ｂｋは一定の間隔において一列に配置される。
【００１９】
各画像形成部１Ｙ、１Ｍ、１Ｃ、１Ｂｋには、それぞれドラム型の電子写真感光体（以下、感光ドラムという）２ａ、２ｂ、２ｃ、２ｄが設置されている。
【００２０】
感光ドラム２ａ、２ｂ、２ｃ、２ｄの周囲には、一次帯電器３ａ、３ｂ、３ｃ、３ｄ、現像装置４ａ、４ｂ、４ｃ、４ｄ、転写ローラ５ａ、５ｂ、５ｃ、５ｄ、ドラムクリーナ装置６ａ、６ｂ、６ｃ、６ｄがそれぞれ配置されている。
【００２１】
一次帯電器３ａ、３ｂ、３ｃ、３ｄと現像装置４ａ、４ｂ、４ｃ、４ｄとの間の下方には、露光装置７が設置されている。
【００２２】
現像装置４ａ、４ｂ、４ｃ、４ｄには、それぞれイエロートナー、シアントナー、マゼンタトナー、ブラックトナーが収納されている。
【００２３】
感光ドラム２ａ、２ｂ、２ｃ、２ｄは、負帯電のＯＰＣ感光体でアルミニウム製のドラム基体上に光導電層を有しており、駆動装置（不図示）によって矢印方向（図１における時計回り方向）に所定のプロセススピードで回転駆動される。
【００２４】
一次帯電器３ａ、３ｂ、３ｃ、３ｄは、帯電バイアス電源（不図示）から印加される帯電バイアスによって感光ドラム２ａ、２ｂ、２ｃ、２ｄの表面を負極性の所定電位に均一に帯電する。
【００２５】
現像装置４ａ、４ｂ、４ｃ、４ｄは、トナーを内蔵し、それぞれ感光ドラム２ａ、２ｂ、２ｃ、２ｄ上に形成される各静電潜像に各色のトナーを付着させてトナー像として現像（可視像化）する。
【００２６】
転写ローラ５ａ、５ｂ、５ｃ、５ｄは、一次転写部３２ａ〜３２ｄにて中間転写ベルト８を介して感光ドラム２ａ、２ｂ、２ｃ、２ｄに当接可能に配置されている。
【００２７】
ドラムクリーナ装置６ａ、６ｂ、６ｃ、６ｄは、感光ドラム２上で一次転写時の残留した転写残トナーを、感光ドラム２から除去するためのクリーニングブレード等を有している。
【００２８】
中間転写ベルト８は、感光ドラム２ａ、２ｂ、２ｃ、２ｄの上面側に配置されて、二次転写対向ローラ１０とテンションローラ１１間に張架されている。二次転写対向ローラ１０は、二次転写部３４において、中間転写ベルト８を介して二次転写ローラ１２と当接可能に配置されている。この中間転写ベルト８は、ポリカーボネート、ポリエチレンテレフタレート樹脂フィルム、ポリフッ化ビニリデン樹脂フィルム等の誘電体樹脂によって構成されている。
【００２９】
また、この中間転写ベルト８は、感光ドラム２ａ、２ｂ、２ｃ、２ｄとの対向面側に形成された一次転写面（下部平面）８ｂを、二次転写ローラ１２側を下方にして傾斜配置してある。
【００３０】
即ち、中間転写ベルト８は、感光ドラム２ａ、２ｂ、２ｃ、２ｄの上面に移動可能に対向配置されて、感光ドラム２との対向面側に形成された一次転写面８ｂを、二次転写部３４側が下方となるように傾斜配置されている。
【００３１】
具体的には、この傾斜角度は約１５°に設定されている。二次転写対向ローラ１０は、二次転写部３４側に配置されて中間転写ベルト８に駆動力を付与する。テンションローラ１１は、一次転写部３２ａ〜３２ｄを挟んで対向側に配置され中間転写ベルト８に張力を付与する。
【００３２】
二次転写対向ローラ１０は、二次転写部３４にて中間転写ベルト８を介して二次転写ローラ１２と当接可能に配置されている。また、無端状の中間転写ベルト８の外側で、テンションローラ１１の近傍には、中間転写ベルト８の表面に残った転写残トナーを除去して回収するベルトクリーニング装置１３が設置されている。また、二次転写部３４よりも転写材Ｐの搬送方向の下流側には、定着装置１６が縦パス構成で設置されている。
【００３３】
露光装置７は、与えられる画像情報の時系列電気デジタル画素信号に対応した発光を行うレーザー発光部、ポリゴンレンズ、反射ミラー等で構成される。露光装置７は、感光ドラム２ａ、２ｂ、２ｃ、２ｄに露光をすることによって、一次帯電器３ａ、３ｂ、３ｃ、３ｄで帯電された感光ドラム２ａ、２ｂ、２ｃ、２ｄの表面に画像情報に応じた各色の静電潜像を形成する。
【００３４】
本画像形成装置のその他の構成は、以下の画像形成動作と併せて説明する。
【００３５】
画像形成開始信号が発せられると、所定のプロセススピードで回転駆動される各画像形成部１Ｙ、１Ｍ、１Ｃ、１Ｂｋの感光ドラム２ａ、２ｂ、２ｃ、２ｄは、それぞれ一次帯電器３ａ、３ｂ、３ｃ、３ｄによって一様に負極性に帯電される。そして、露光装置７は、外部から入力されるカラー色分解された画像信号をレーザー発光素子から照射し、ポリゴンレンズ、反射ミラー等を経由し感光ドラム２ａ、２ｂ、２ｃ、２ｄ上に各色の静電潜像を形成する。
【００３６】
そして、まず感光ドラム２ａ上に形成された静電潜像に、感光ドラム２ａの帯電極性（負極性）と同極性の現像バイアスが印加された現像装置４ａにより、イエローのトナーを付着させてトナー像として可視像化する。
【００３７】
このイエローのトナー像は、感光ドラム２ａと転写ローラ５ａとの間の一次転写部３２ａにて、一次転写バイアス（トナーと逆極性（正極性））が印加された転写ローラ５ａにより、駆動されている中間転写ベルト８上に一次転写される。
【００３８】
イエローのトナー像が転写された中間転写ベルト８は、画像形成部１Ｍ側に移動される。そして、画像形成部１Ｍにおいても、前記と同様にして、感光ドラム２ｂに形成されたマゼンタのトナー像が、中間転写ベルト８上のイエローのトナー像上に重ね合わせて、一次転写部３２ｂにて転写される。
【００３９】
この時、感光ドラム２上に残留した転写残トナーは、ドラムクリーナ装置６ａ、６ｂ、６ｃ、６ｄに設けられたクリーナブレード等により掻き落とされ、回収される。
【００４０】
以下、同様にして、中間転写ベルト８上に重畳転写されたイエロー、マゼンタのトナー像上に画像形成部１Ｃ、１Ｂｋの感光ドラム２ｃ、２ｄで形成されたシアン、ブラックのトナー像を一次転写部３２ａ〜３２ｄにて順次重ね合わせる。このようにして、フルカラーのトナー像を中間転写ベルト８上に形成する。
【００４１】
そして、中間転写ベルト８上のフルカラーのトナー像先端が、二次転写対向ローラ１０と二次転写ローラ１２間の二次転写部３４に移動される。また、このタイミングに合わせて、給紙カセット１７または手差しトレイ２０から選択されて搬送パス１８を通して給紙される転写材（用紙）Ｐが、レジストローラ１９により二次転写部３４に搬送される。
【００４２】
二次転写部３４に搬送された転写材Ｐに、二次転写バイアス（トナーと逆極性（正極性））が印加された二次転写ローラ１２により、フルカラーのトナー像が一括して二次転写される。
【００４３】
フルカラーのトナー像が形成された転写材Ｐは、定着装置１６に搬送されて、フルカラーのトナー像が加熱、加圧されて転写材Ｐの表面に熱定着された後に、排紙ローラ２１によって本体上面の排紙トレイ２２上に排紙されて、一連の画像形成動作を終了する。尚、中間転写ベルト８上に残った二次転写残トナー等は、ベルトクリーニング装置１３によって除去されて回収される。
【００４４】
以上が片面画像形成時の画像形成動作である。
【００４５】
続いて本画像形成装置での両面画像形成動作について説明する。
【００４６】
転写材Ｐが定着装置１６に搬送されるところまでは片面画像形成動作と同様である。フルカラーのトナー像が加熱、加圧されて転写材Ｐの表面に熱定着された後に、排紙ローラ２１によって本体上面の排紙トレイ２２上に転写材Ｐの大部分が排紙された状態で、排紙ローラ２１の回転を停止する。その際、排紙ローラ２１は、転写材Ｐの後端位置が反転位置４２に到達しているように、停止している。
【００４７】
続いて、排紙ローラ２１の回転を停止させたことで搬送が停止された転写材Ｐを両面上ローラ４０、両面下ローラ４１を備えた両面パスへと送り込むべく、排紙ローラ２１を通常回転とは逆回転させる。
【００４８】
排紙ローラ２１を逆回転させることにより、反転位置４２に位置していた転写材Ｐの後端側を先端側とし、両面上ローラ４０に到達させる。
【００４９】
その後、両面上ローラ４０により転写材Ｐを両面下ローラ４１へと搬送し、両面上ローラ４０、両面下ローラ４１によりレジストローラ１９に向かって転写材Ｐを順次搬送して行く。
【００５０】
その間、画像形成開始信号を発生させ、上記の片面画像形成時と同様の動作を行う。即ち、中間転写ベルト８上のフルカラーのトナー像先端が、二次転写対向ローラ１０と二次転写ローラ１２間の二次転写部３４に移動されるタイミングに合わせてレジストローラ１９により二次転写部３４へと転写材Ｐを移動させる。
【００５１】
二次転写部３４にてトナー像先端と転写材Ｐの先端を一致させ、トナー像を転写させた以降は、片面画像形成動作と同様に、定着装置１６にて転写材Ｐ上の画像を定着させる。転写材Ｐは、再度、排紙ローラ２１によって搬送され、最終的に排紙トレイ２２上に排紙されて、一連の画像形成動作を終了する。
【００５２】
図２は、図１の画像形成装置の制御ブロック図である。
【００５３】
図２において、ＣＰＵ１７１は、画像形成装置の基本制御を行うものであり、制御プログラムが書き込まれたＲＯＭ１７４と、処理を行うためのＲＡＭ（ワークＲＡＭ）１７５、入出力ポート（Ｉ／Ｏ）１７３がアドレスバス、データバスにより接続されている。
【００５４】
入出力ポート１７３には、画像形成装置を制御する、モータ、クラッチ等の各種負荷（不図示）や、転写材の位置を検知するセンサ等の入力（不図示）が接続されている。
【００５５】
ＣＰＵ１７１は、ＲＯＭ１７４の内容に従って入出力ポート１７３を介して順次入出力の制御を行い、画像形成動作を実行する。また、ＣＰＵ１７１には、操作部１７２が接続されており、操作部１７２の表示手段、キー入力手段を制御する。
【００５６】
操作者はキー入力手段を通して、画像形成動作モードや、表示の切り替えをＣＰＵ１７１に指示し、ＣＰＵ１７１は、画像形成装置の状態や、キー入力による動作モード設定の表示を行う。
【００５７】
ＣＰＵ１７１には、画像メモリ部３００から転送されたライン画像データを露光装置７に露光させるべく処理が行われる画像形成部１、画像を伸張処理や一時的に蓄積処理等をする画像メモリ部３００が接続されている。また、ＣＰＵ１７１には、ＰＣ等外部機器からの画像データ・処理データ等を送受信する外部Ｉ／Ｆ処理部４００が接続されている。
【００５８】
図３は、図２における画像メモリ部の制御ブロック図である。
【００５９】
図３において、画像メモリ部３００では、ＤＲＡＭ等のメモリで構成されるページメモリ３０１に、メモリコントローラ部３０２を介して外部Ｉ／Ｆ処理部４００から受け取った画像データを書き込む。そして、画像メモリ部３００は、画像形成部１への画像読み出し等画像の入出力のアクセスを行う。
【００６０】
メモリコントローラ部３０２は、外部Ｉ／Ｆ処理部４００から受け取った外部機器からの画像データが圧縮データであるか否かの判断を行い、圧縮データであると判断された場合、圧縮データ伸張処理部３０３を用いて伸張処理を行う。そして、その後、メモリコントローラ部３０２を介してページメモリ３０１へ書き込み処理がなされる。
【００６１】
メモリコントローラ部３０２は、ページメモリ３０１のＤＲＡＭリフレッシュ信号の発生を行い、また、外部Ｉ／Ｆ処理部４００からの書き込み、画像形成部１への読み出しに対するページメモリ３０１へのアクセスの調停を行う。
【００６２】
更に、メモリコントローラ部３０２は、ＣＰＵ１７１の指示に従い、ページメモリ３０１への書き込みアドレス、ページメモリ３０１からの読み出しアドレス、読み出し方向等の制御をする。
【００６３】
図４は、図２における外部Ｉ／Ｆ処理部の制御ブロック図である。
【００６４】
図４において、外部Ｉ／Ｆ処理部４００では、外部装置４１０から送信される画像データ及びプリントコマンドデータをＵＳＢ  Ｉ／Ｆ部４０１、セントロＩ／Ｆ部４０２、ネットワークＩ／Ｆ部４０３のいずれかを介して受信する。また、外部Ｉ／Ｆ処理部４００では、ＣＰＵ１７１で判断された画像形成装置の状態情報等を外部装置４１０に対し送信する。ここで外部装置４１０は、コンピュータやワークステーション等である。
【００６５】
外部装置４１０からＵＳＢ  Ｉ／Ｆ部４０１、セントロＩ／Ｆ部４０２、ネットワークＩ／Ｆ部４０３のいずれかを介して受信したプリントコマンドデータはＣＰＵ１７１にて処理される。そして、ＣＰＵ１７１は、画像形成部１や図２の入出力ポート１７３等を用いてプリント動作を実行する、設定やタイミングを生成する。
【００６６】
外部装置４１０からＵＳＢ  Ｉ／Ｆ部４０１、セントロＩ／Ｆ部４０２、ネットワークＩ／Ｆ部４０３のいずれかを介して受信した画像データは、プリントコマンドデータに基づくタイミングに応じて画像メモリ部３００に送信される。そして、画像メモリ部３００で画像形成部１にて画像形成されるべく、処理される。
【００６７】
図５は、図１における定着装置の外観斜視図である。
【００６８】
図５において、定着ベルト５００は、ポリイミド等の耐熱性樹脂材料を無端ベルト状に成型したものである。定着ベルト５００は、定着ベルト駆動ローラ５０１及び発熱体ローラ６００によって張架されている。定着ベルト駆動ローラ５０１は、定着ベルト駆動モータ５０４によって駆動され、定着ベルト５００を回転させる。発熱体ローラ６００に関しては図６にて後述する。
【００６９】
加圧ローラ５０５は、芯金にシリコンゴム等の弾性層を被覆し、更にその表層に離型層としてフッ素コート層を被服している。加圧ローラ５０５は、加圧ローラ駆動モータ５０６によって回転させられる。
【００７０】
定着ベルト駆動モータ５０４と加圧ローラ駆動モータ５０６は、モータ制御部５１４、５１５によって制御される。サーミスタ５０７、５０８は、定着ベルト５００の表面の端部と中央部の温度を検知する。
【００７１】
サーミスタ５０７、５０８は、検知した温度を電気信号として温度調整制御部５０９、５１０に送る。温度調整制御部５０９、５１０は、定着ベルト５００の表面温度が一定温度となるように発熱体ローラ６００を制御する。
【００７２】
発熱体ローラ６００にはフランジ５０２が圧入されている。発熱体ローラ６００は、発熱体ローラ回転モータ５０３によって回転する。発熱体ローラ位置制御部５１３は、フランジ５０２の回転軸上に取り付けられたセンサフラグ５１１及び位置検知センサ５１２によって発熱体ローラ６００が所定の位置に移動するのを制御している。
【００７３】
本実施の形態では、発熱体ローラ回転モータ５０３をステッピングモータとし、位置検知センサ５１２の入力の変化及びに発熱体ローラ回転モータ５０３へ出力するパルス数を用いて、発熱体ローラ６００を所定の位置に移動させる。
【００７４】
図６は、図５における発熱体ローラの構成図である。
【００７５】
図６において、発熱体ローラ６００は、アルミニウムによって構成されており、そこに面状ヒータ６０２Ａ、６０２Ｂ、６０２Ｃ、６０２Ｄ、６０２Ｅが貼り付けられている。即ち、発熱体ローラ６００は、複数の用紙幅に対応する複数の発熱体（面状ヒータ６０２）を有する。
【００７６】
面状ヒータ６０２Ａ、６０２Ｂ、６０２Ｃ、６０２Ｄ、６０２Ｅは、コネクタ６０１を通して電力制御部６０３Ａ、６０３Ｂ、６０３Ｃ、６０３Ｄ、６０３Ｅと接続しており、電力を供給される。ここで、複数の面状ヒータ６０２に供給する電力はそれぞれ異なる。また、複数の面状ヒータ６０２に対して個別に電力を供給する。
【００７７】
電力制御部６０３Ａ、６０３Ｂ、６０３Ｃ、６０３Ｄ、６０３Ｅは、温度調整制御部５０９、５１０によって必要に応じて制御される。また、発熱体ローラ６００は、対向する位置にある加圧ローラ５０５の方向に加圧されており、加圧ローラ５０５との間で定着ニップ部を形成している。
【００７８】
矢印Ｘは、定着ベルト５００（発熱体ローラ６００）の回転方向を表しており、矢印Ｙは定着ベルト５００に対する用紙の通紙方向である。
【００７９】
次に、本実施の形態における面状ヒータ幅６０４Ａ、６０４Ｂ、６０４Ｃ、６０４Ｄ、６０４Ｅについて説明する。
【００８０】
本実施の形態では、面状ヒータ６０２Ａ、６０２Ｂ、６０２Ｃ、６０２Ｄ、６０２Ｅはそれぞれ異なる幅で構成している。
【００８１】
面状ヒータ６０２ＡはＡ４サイズ幅（２９７ｍｍ＋５ｍｍ）、面状ヒータ６０２ＢはＬＴＲサイズ幅（２７９ｍｍ＋５ｍｍ）、面状ヒータ６０２ＣはＢ４サイズ幅（２５７ｍｍ＋５ｍｍ）としている。また、面状ヒータ６０２ＤはＬＧＬサイズ幅（２１６ｍｍ＋５ｍｍ）、面状ヒータ６０２ＥはＡ４Ｒサイズ幅（２１０ｍｍ＋５ｍｍ）としている。
【００８２】
ここで、図７に、面状ヒータ６０２Ａ、６０２Ｂ、６０２Ｃ、６０２Ｄ、６０２Ｅを、連続通紙時に２００℃に保つための消費電力の関係を示す。
【００８３】
面状ヒータ６０２は、幅方向に対して継ぎ目の無い構成とすることによって、面状ヒータ６０２内の温度ムラを防止している。仮に、用紙幅方向に分割して面状ヒータ６０２を配置した場合、面状ヒータ６０２の継ぎ目の部分における温度ムラ（隙間がある場合は低温、オーバーラップさせた場合は高温）によって濃度ムラや光沢ムラといった画像不良が発生することが懸念される。
【００８４】
本実施の形態では、各用紙幅に合った面状ヒータ６０２を発熱体ローラ６００に順番に並べて配置する（面状ヒータ６０２を通紙方向に並べて配置する）ことによって、温度ムラによる画像不良を防止することが可能である。
【００８５】
図８は、図６における面状ヒータの断面図である。
【００８６】
面状ヒータ６０２において、発熱部８０１は抵抗体によって構成されている。発熱部８０１は、電力制御部６０３より電力が供給されることによって発熱する。絶縁部８０２、８０３で発熱部８０１を挟み込む構成となっている。
【００８７】
次に、本実施の形態における位置検知センサ５１２と発熱体ローラ６００の位置関係について、図９を用いて説明する。
【００８８】
発熱体ローラ回転モータ５０３を回転させ、センサフラグ５１１が位置検知センサ５１２を遮光した位置が、面状ヒータ６０２Ａが定着ニップ部となる位置である。遮光してから発熱体ローラ回転モータ５０３へ１０パルス出力した位置が、面状ヒータ６０２Ｂが定着ニップ部となる位置である。
【００８９】
また、面状ヒータ６０２Ｃが定着ニップ部に位置している状況において、面状ヒータ６０２Ｅを定着ニップ部に移動させるときは、更に２０パルス出力することによって実現する。逆に、面状ヒータ６０２Ａを定着ニップ部に移動させる時は、発熱体ローラ回転モータ５０３を逆回転の方向に２０パルス出力することで実現している。
【００９０】
以上のように、位置検知センサ５１２の遮光位置からの出力パルスを、発熱体ローラ位置制御部５１３が管理することによって、任意の面状ヒータ６０２を定着ニップ部に移動させることを可能としている。
【００９１】
即ち、発熱体ローラ位置制御部５１３は、発熱体ローラ６００の位置を制御する位置制御手段として機能する。そして、位置制御手段は、ニップ部を通過する用紙幅に対応して所定の発熱体（面状ヒータ６０２）が所定の位置（定着ニップ部）に移動するよう発熱体ローラ６００の位置を制御する。
【００９２】
図１０は、図２の画像形成装置によって実行される図６の発熱体ローラの初期位置出し処理の手順を示すフローチャートである。また、図１１は、図５における発熱体ローラの回転方向を示す図である。
【００９３】
図１０の処理は、図２におけるＣＰＵ１７１の制御の下に実行される。
【００９４】
本実施の形態では、図１１における矢印Ａの方向は正回転、矢印Ｂの方向は逆回転として、発熱体ローラ回転モータ５０３を回転させることによって発熱体ローラ６００を回転する。
【００９５】
図１０において、ＣＰＵ１７１は、まず位置検知センサ５１２をセンサフラグ５１１が遮光しているかを確認する（Ｓ１０１）。遮光している場合は、ＣＰＵ１７１は、位置検知センサ５１２が透光（センサフラグ５１１が位置検知センサ５１２の発光、受光部から外れた状態）するまで発熱体ローラ回転モータ５０３を正回転させる（Ｓ１０２）。
【００９６】
次に、ＣＰＵ１７１は、位置検知センサ５１２の出力に基づき透光するまで待つ（Ｓ１０３）。ステップＳ１０３で透光が確認されたら、ＣＰＵ１７１は、発熱体ローラ回転モータ５０３を停止し（Ｓ１０４）、ステップＳ１０５へ移る。ステップＳ１０１にて位置検知センサ５１２が透光している場合も同様にステップＳ１０５へ移る。
【００９７】
次に、ＣＰＵ１７１は、発熱体ローラ回転モータ５０３を逆回転開始する（Ｓ１０５）。その後、ＣＰＵ１７１は、位置検知センサ５１２をセンサフラグ５１１が遮光するのを待つ（Ｓ１０６）。ステップ１０６で遮光が確認されたら、ＣＰＵ１７１は、発熱体ローラ回転モータ５０３を停止し（Ｓ１０７）、発熱体ローラ６００の初期位置出し処理を終了する。
【００９８】
図１２は、図２の画像形成装置によって実行される画像形成時の定着制御処理の手順を示すフローチャートである。
【００９９】
図１２の処理は、図２におけるＣＰＵ１７１の制御の下に実行される。
【０１００】
図１２において、ＣＰＵ１７１は、まず発熱体ローラ６００の初期位置出しが終了しているかを確認する（Ｓ２０１）。初期位置出しが終了していない場合は、ＣＰＵ１７１は、図１１の初期位置出し処理を実施する（Ｓ２０２）。
【０１０１】
次に、ステップＳ２０１で初期位置出しが終了したと判断された場合は、ＣＰＵ１７１は、用紙サイズ（転写材Ｐ）の取得を行う（Ｓ２０３）。用紙サイズは、外部Ｉ／Ｆ処理部４００より通知される処理データに含まれている。そして、ＣＰＵ１７１は、用紙サイズに該当した面状ヒータ６０２が定着ニップ部に位置しているかを確認する（Ｓ２０４）。
【０１０２】
用紙サイズとそれに対応する面状ヒータの関係は図１３に示す。該当する面状ヒータ６０２が定着ニップ部に既に移動している場合は、ステップＳ２１０へ進む。異なる面状ヒータ６０２が定着ニップ部に移動している場合は、ＣＰＵ１７１は、一旦画像形成を禁止する（Ｓ２０５）。
【０１０３】
次に、ＣＰＵ１７１は、図９に基づいて、該当する面状ヒータ６０２を移動するために必要な発熱体ローラ回転モータ５０３の出力パルス数を取得する（Ｓ２０６）。そして、ＣＰＵ１７１は、ステップＳ２０６にて取得したパルス数分だけ発熱体ローラ回転モータ５０３の駆動を開始する（Ｓ２０７）。次に、ＣＰＵ１７１は、所定パルスを出力するまで待ち（Ｓ２０８）、所定パルスを出力したことを確認したら後に、発熱体ローラ回転モータ５０３の駆動を停止する（Ｓ２０９）。
【０１０４】
次に、ＣＰＵ１７１は、該当する面状ヒータ６０２の出力電力を図７に基づいて決定し（Ｓ２１０）、温調（温度調整）処理を行い（Ｓ２１１）、画像形成を許可する（Ｓ２１２）。
【０１０５】
そして、ＣＰＵ１７１は、全画像形成が終了したかを確認し（Ｓ２１３）、終了していない場合はステップＳ２０３へ戻る。画像形成が終了したと判断された場合は、発熱体ローラ６００の初期位置出し処理を実行し（Ｓ２１４）、本処理を終了する。
【０１０６】
以上のように、本発明を実施することによって、用紙サイズに適合した面状ヒータを最適に選択することが可能となり、定着装置の端部（発熱体ローラ６００の端部）昇温を防止することができる。これによって、小サイズ幅紙において、用紙間隔を必要以上に空ける必要が無くなり、ダウンタイムを低減することを可能とする。また、最適な電力を供給することによって省エネを達成することができる。
【図面の簡単な説明】
【０１０７】
【図１】本発明の実施の形態に係る画像形成装置の構成図である。
【図２】図１の画像形成装置の制御ブロック図である。
【図３】図２における画像メモリ部の制御ブロック図である。
【図４】図２における外部Ｉ／Ｆ処理部の制御ブロック図である。
【図５】図１における定着装置の外観斜視図である。
【図６】図５における発熱体ローラの構成図である。
【図７】図５における面状ヒータに関する図表である（１）。
【図８】図６における面状ヒータの断面図である。
【図９】図５における面状ヒータに関する図表である（２）。
【図１０】図２の画像形成装置によって実行される図６の発熱体ローラの初期位置出し処理の手順を示すフローチャートである。
【図１１】図５における発熱体ローラの回転方向を示す図である。
【図１２】図２の画像形成装置によって実行される画像形成時の定着制御処理の手順を示すフローチャートである。
【図１３】図５における面状ヒータに関する図表である（３）。
【図１４】定着装置における加熱回転部材の有効定着領域、非通紙領域、各用紙サイズの関係を示す図である。
【符号の説明】
【０１０８】
５０５  加圧ローラ
５１３  発熱体ローラ位置制御部
６００  発熱体ローラ
６０２  面状ヒータ
【図１】
2009192607.tif 000003
【図２】
2009192607.tif 000004
【図３】
2009192607.tif 000005
【図４】
2009192607.tif 000006
【図５】
2009192607.tif 000007
【図６】
2009192607.tif 000008
【図７】
2009192607.tif 000009
【図８】
2009192607.tif 000010
【図９】
2009192607.tif 000011
【図１０】
2009192607.tif 000012
【図１１】
2009192607.tif 000013
【図１２】
2009192607.tif 000014
【図１３】
2009192607.tif 000015
【図１４】
2009192607.tif 000016